(57)【要約】【課題】本発明は、止め具である環状体同士を確実に接続でき、しかも嵌脱操作が容易であると共に、首前部、前胸部、又は肩口に位置して、美的印象を与える装飾性を有するネックレス用止め具兼装飾具を提供する。【解決手段】ネックレスの両端部を繋げる２個一対の止め具兼装飾具であって、断面が丸型又は角型である２個の円環体からなり、前記円環体の外側端面の１箇所に前記ネックレスの端部が繋がる接続部を備えると共に、前記円環体の一箇所に径方向に切れ目を有する楔状の切れ込み部を備えることを特徴とする。【選択図】図１
2010099288.tif 000002
【特許請求の範囲】
【請求項１】
ネックレスの両端部を繋げる２個一対の止め具兼装飾具であって、断面が丸型又は角型である２個の円環体からなり、前記円環体の外側端面の１箇所に前記ネックレスの端部が繋がる接続部を備えると共に、前記円環体の一箇所に径方向に切れ目を有する楔状の切れ込み部を備えることを特徴とするネックレス用止め具兼装飾具。
【請求項２】
前記円環体の内径が少なくとも１５ｍｍ以上であることを特徴とする請求項１に記載のネックレス用止め具兼装飾具。
【請求項３】
前記円環体の前記接続部と前記切り込み部との成す内角について、両円環体の前記内角の差が３０°から１００°の範囲であることを特徴とする請求項１又は２に記載のネックレス用止め具兼装飾具。
【請求項４】
前記２個の円環体が、大径及び小径の円環体であり、かつ、大径の円環体内径に小径の円環体を挿通可能にしたことを特徴とする請求項１又は２又は３に記載のネックレス用止め具兼装飾具。
【請求項５】
前記円環体が、貴金属、金属、貴石、半貴石、ウッド及び合成樹脂の内から選択される少なくとも一種類の材料で製作されていることを特徴とする請求項１から４のいずれかに記載のネックレス用止め具兼装飾具。
【請求項６】
前記円環体の表面に装飾用彫刻が施され、又は宝石類が留められていることを特徴とする請求項１から５のいずれかに記載のネックレス用止め具兼装飾具。
【発明の詳細な説明】
【技術分野】
【０００１】
本発明は、ネックレスの両端部を繋げる止め金具として用いられ、かつ、前首部、前胸部又は肩口部における装飾具としても用いることができるネックレス用止め具兼装飾具に関するものである。      
【背景技術】
【０００２】
従来のネックレス用止め具は、通常、ネックレスを繋ぐ場所である頚部の背面で目立たないようにして装着されている。その装着場所がゆえに、簡易にネックレスの両端部を繋げることができる止め金具が要求されてきたと共に、装飾としてもあまり目立たち過ぎないような小型の止め金具が求められてきた。こうしたネックレス用止め金具の技術が開示されている（文献１）。
【特許文献１】特開２００３−１０２５２４号公報（〔０００９〕、〔図１，４，５，６〕）
【発明の開示】
【発明が解決しようとする課題】
【０００３】
止め金具の連結は、首の後ろ等の見えない位置での連結操作となるが、前述の先行技術は、確実に接続ができる点では優れている。しかし、止め金具が小型で、軽いために、止め具が首の前や胸部などの前方に移動しやすく、また、もともと首の背面に位置するもので装飾性に乏しいものであるから、ネックレスが美的印象与える点において好ましくなかった。
【０００４】
本発明は、前述の課題を解決するためになしたものであって、止め具の環状体同士を確実に接続でき、しかも嵌脱操作が容易であると共に、前首部、前胸部、又は肩口部に位置して、美的印象を与える装飾性を有するネックレス用止め具兼装飾具を提供するものである。
【課題を解決するための手段】
【０００５】
上記の目的を達成するための本発明の請求項１に係るネックレス用止め具兼装飾具は、ネックレスの両端部を繋げる２個一対の止め具兼装飾具であって、断面が丸型又は角型である２個の円環体からなり、前記円環体の外側端面の１箇所に前記ネックレスの端部が繋がる接続部を備えると共に、前記円環体の一箇所に径方向に切れ目を有する楔状の切れ込み部を備えることを特徴とする。また、請求項２に係るネックレス用止め具兼装飾具は、前記円環体の内径が少なくとも１５ｍｍ以上であることを特徴とする。
【０００６】
この構成によれば、ネックレスを止め具により繋げたり、又は外したりする場合には、２個の円環体の楔状切れ込み部を意図的に直交して合わせた場合のみ、円環体同士を嵌めたり、外したりすることができる。嵌めた場合には、円環体は内径が少なくとも１５ｍｍ以上あるので、円環体同士は引っ掛けるようにぶら下がった掛着の状態になる。よって、円環体は固着されることなく、自由に動けるので、ネックレスを装着したときに、止め具による緊縛感が生じない。また、２個の円環体の相対位置が制約されずに、自由に配置されるので、配置が多様化され、多様な装飾態様を発揮することができる。また、本発明に係る止め具は、円環体が従来のものより大きいので、後首部で装着されるより、前首部、前胸部、又は肩口部に位置して装着されるのが、観者に美的印象を与える装飾性を有するので好ましい。また、円環体同士を直交させないと、円環体同士を外せないので、ネックレス装着時にはこの直交状態になることは有り得ないから、ネックレスの繋ぎが止め具から外れることは全く無い。ここにいうネックレスは、パールのみならず、貴石、半貴石、貴金属製鎖などの首飾りを意味する。
【０００７】
また、請求項３に係るネックレス用止め具兼装飾具は、請求項１又は２の記載において、前記円環体の前記接続部と前記切り込み部との成す内角について、両円環体の前記内角の差が３０°から１００°の範囲であることを特徴とする
【０００８】
この構成によれば、前述した２個の円環体の楔状切れ込み部を意図的に直交して合わせた場合のみ、円環体同士を嵌めたり、外したりすることができることに加えて、円環体のネックレスを繋ぐ接続部と切り込み部との成す内角を夫々の円環体で大きく違えているので、円環体同士の切れ込み部が合う機会は稀有で、貴重品であるネックレスを装着した時に、止め具の繋ぎが外れて不慮の事故が起きることを更に無いようにしている。
【０００９】
また、請求項４に係るネックレス用止め具兼装飾具は、前記２個の円環体が、大径及び小径の円環体であり、かつ、大径の円環体内径に小径の円環体を挿通可能にしたことを特徴とする。
【００１０】
この構成によれば、前述の円環体を嵌めたり、外したりする止め具以外の使い方であって、ネックレスの一端が繋がった大径の円環体の中に、ネックレスの他端が繋がった小径の円環体を通すことにより、長いネックレスの場合には、摩擦力により間接的に繋げた様に装着できる。また、径の異なる大小の円環体を採用することにより、観者に装着時の美的印象を与えることもできる。
【００１１】
また、請求項５に係るネックレス用止め具兼装飾具は、請求項１から４のいずれかの記載において、前記円環体が、貴金属、金属、貴石、半貴石、ウッド及び合成樹脂の内から選択される少なくとも一種類の材料で製作されていることを特徴とする。また、請求項６に係るネックレス用止め具兼装飾具は、請求項１から５のいずれかの記載において、前記円環体の表面に装飾用彫刻が施され、又は宝石類が留められていることを特徴とする。
【００１２】
これらの構成によれば、金、白金、銀、ホワイトゴールド等の貴金属、ヒスイなどの貴石、水晶、メノウ、珊瑚などの半貴石、黒檀、紫檀などのハードウッドを含むウッド、加工性に富み、強度のある合成樹脂等を原材料として円環体に加工して用いれば、装飾性や強度のある円環体の止め具を製作することができる。また、円環体の表面に梨地に表面加工することや彫金、象嵌などを施すことにより装飾具して品質の向上が図られ、また、ダイアモンド、ルビー、サファイヤなどの宝石類を留め置くことで装飾具としての装飾性を更に高めることができる。
【発明の効果】
【００１３】
本発明に係る請求項１乃至６のネックレス用止め具兼装飾具によれば、２個一対の円環体からなる止め具兼装飾具であって、従来のものより大径の円環体であるから、止め具としてネックレスの着脱操作が簡単で容易であり、即ち、嵌め易く、かつ、人為操作以外では外れない構造である。また、従来のように、後首部で装着されるより、前首部、前胸部、又は肩口部に位置して装着されるのが良く、止め具兼装飾具を体の正面側に位置させて用いるので、装飾具としても見栄えがし、美的印象を与えることができる。また、請求項１の発明によれば、止め具の嵌脱操作が容易であると共に、円環体同士が直交しないと嵌らないし、また外れない機構を採用しているから、人為的に操作しない限り、外れることは全くない特徴を有する。また、請求項２の発明によれば、円環体の内径が従来のものに比し大きいから、止め具の締結、取外しが容易に行えると共に、装飾具としても見栄えのする大きさを有している。また、請求項３の発明によれば、ネックレスを繋ぐ接続部の位置と円環体同士をする切れ込み部の位置の成す角度を２個の円環体で違えているので、止め具が人為操作以外で外れることを極力防止することができる。
【００１４】
また、請求項４の発明によれば、止め具として、円環体同士を嵌めなくて、小径円環体を大径円環体に挿通することにより、長いネックレスを留めることができる。これにより止め具兼装飾具として従来にない使い方であって、新味な見栄えを創出できて良くなり、また、ネックレスの装着状態について、バリエーションをもたらすことができる。また、請求項５、６の発明によれば、止め具兼装飾具として、装飾性をもたらす広範囲な材料を採択できるので、装飾性に優れた高級感を発揮すると共に、耐蝕性や耐変色性も加わり、時間経過による外観の劣化を防止することもできる。また、止め具兼装飾具の表面を彫金、象嵌などの美的付加価値を付帯することにより装飾具に、さらに優れた美的印象を付加し、止め具兼装飾具の態様としてのバリエーションを拡げることができる。
【発明を実施するための最良の形態】
【００１５】
以下、本発明の実施形態を図面に基づいて説明する。図１は、本発明に係るネックレス用止め具兼装飾具の一実施形態を示す模式的平面図である。図２は、本発明に係るネックレス用止め具兼装飾具を構成する円環体であって、（ａ）は大径円環体、（ｂ）は小径円環体の模式的平面図である。図３は、図２の（ａ）はＡ−Ａ矢視の断面図、（ｂ）はＢ−Ｂ矢視の断面図、（ｃ）はＣ−Ｃ矢視の断面図、（ｄ）はＤ−Ｄ矢視の断面図である。図４は、本発明に係るネックレス用止め具兼装飾具を嵌脱する際、２個の円環体の切れ込み部が直交した状態を示す模式図である。図５は、本発明に係るネックレス用止め具兼装飾具を用いたネックレスの模式的全体図である。図６は、本発明に係るネックレス用止め具兼装飾具を用いたネックレスの着用例であって、（ａ）は１連のネックレスの着用例、（ｂ）は２連のネックレスの着用例、（ｃ）は一連のネックレスで大径円環体の中に小径円環体を挿通して着用した例、（ｄ）は、一連のネックレスで大径円環体の中に小径円環体を挿通して着用した別の例である。
【００１６】
図１，２，３，４，５に基づいて、本発明に係わるネックレス用止め具兼装飾具１を説明すると、ネックレス用止め具兼装飾具１は２個一対の円環体１−１、１−２から構成され、一方の円環体１−１は径を大きくし、他方の円環体１−２の径は、円環体１−１の内径を挿通できる程度に小さくしている。前述の円環体１−２の挿通を考慮しない場合は、略同一径の円環体１−１，１−２であってもよい。前述のネックレス１０は、パールのみならず、貴石、半貴石、貴金属製鎖などの首飾りを意味している。
【００１７】
円環体１−１は、図２（ａ）に示すように、円形断面を有するリングであり、円環体１−１の外側部に小径の環からなる接続部５を設け、前記接続部５にネックレス１０の一端が繋がる。また、接続部５から円環体１−１の中心に対して挟む内角αの円環体１−１の位置に、他方の円環体１−２を嵌め込むための切れ込み部３を設けている。切れ込み部３は、図３（ｂ）に示すように、Ｌ１の間隔がある切れ目３−１を中央にして、Ｌ２の長さがある二つの切れ込み面３−２から構成され、二つの切れ込み面３−２は円環体１−１の径方向に対して楔状を呈する。
【００１８】
他方の円環体１−２も円環体１−１と同様な構造をとり、図２（ｂ）に示すように、円形断面を有するリングであり、円環体１−２の外側部に小径の環からなる接続部６を設け、前記接続部６にネックレス１０の他端が繋がる。また、接続部６から円環体１−２の中心に対して挟む内角βの円環体１−２の位置に、他方の円環体１−１を嵌め込むための切れ込み部４を設けている。切れ込み部４は、図３（ｃ）に示すように、Ｌ３の間隔がある切れ目４−１を中央にして、Ｌ４の長さがある二つの切れ込み面４−２から構成され、二つの切れ込み面４−２は円環体１−２の径方向に対して楔状を呈する。また、各円環体１−１、１−２の断面は、丸型（円形）のみでなく、角型（方形）であってもよい。
【００１９】
図１及び図５に示すように、ネックレス１０を止め具兼装飾具１により繋げる場合には、円環体１−１の楔状切れ込み部３と円環体１−２の楔状切れ込み部４とを、図４に示すように、直交して合わせた場合のみ、切れ目３−１、４−１と切れ込み面３−２、４−２があるので、切れ目３−１，４−１方向である径方向に相対的に嵌めこむようにスライドさせることで、円環体１−１，１−２同士を嵌めたりすることができる。嵌めた場合には、円環体１−１，１−２は内径が少なくとも１５ｍｍ以上あるので、円環体１−１、１−２同士は、お互いに引っ掛かるようにぶら下がった掛着の状態になって、円環体１−１，１−２同士が繋がった状態になり、止め具１の役割を果たす。このように、円環体１−１，１−２同士は固着されて繋がることなく、自由に動けるので、ネックレス１０を装着したときに、止め具１による緊縛感が生じない。また、２個の円環体１−１，１−２同士の相対位置が拘束されずに、自由に動けるので、前記配置が多様化になり、多様な装飾態様を発揮することができる。また、ネックレス１０を止め具兼装飾具１により外す場合には、前述の操作の逆を行えばよい。
【００２０】
また、前述したように、２個の円環体１−１，１−２の楔状切れ込み部３，４を意図的に直交して合わせた場合のみ、円環体１−１，１−２同士を嵌めたり、外したりすることができる。さらに、円環体１−１のネックレスを繋ぐ接続部５と切り込み部３との成す内角αと、円環体１−２のネックレスを繋ぐ接続部６と切り込み部４との成す内角βとの差を３０〜１００°にすると、円環体１−１，１−２の夫々で切れ込み部３，４の位置が大きく違えていることになり、円環体１−１，１−２同士の切れ込み部３，４が直交して合う機会は稀有となる。これにより、貴重品であるネックレス１０を装着した時に、止め具１の繋ぎが外れて不慮の事故が起きることを皆無にしている。なお、円環体１−１，１−２は夫々ネックレス１０の端部に繋がる接続部５，６を軸にして回転自在になっていても、円環体１−１，１−２同士の切れ込み部３，４が直交して合う機会は、前述と同じく稀有である。
【００２１】
また、前述のように、２個の円環体１−１，１−２が、大径の円環体１−１と小径の円環体１−２であり、かつ、大径の円環体１−１の内径に小径の円環体１−２を挿通可能にしているので、前述の円環体１−１，１−２を嵌めたり、外したりする止め具１以外の使い方であって、ネックレス１０の一端が繋がった大径の円環体１−１の中に、ネックレス１０の他端が繋がった小径の円環体１−２を単に通すことによっても、長いネックレス１０の場合には、円環体１−１と円環体１−２の夫々とネックレス１０との摩擦力により、間接的に繋げた様に装着できる。また、径の異なる大小の円環体１−１，１−２を採用することにより、観者にネックレス１０の装着において、新規な美的印象を与えることができる。
【００２２】
また、円環体１−１，１−２の材質は、止め具１に適切な強度を有し、また、リング状の円環体１−１，１−２および切れ目３−１，４−１と切り込み面３−２，４−２を形成できる加工性が求められ、さらに、止め具兼装飾具１としての装飾性が求められる。かかる点から、金、白金、銀、ホワイトゴールド等の貴金属、ヒスイなどの貴石、水晶、メノウ、珊瑚などの半貴石、黒檀、紫檀などのハードウッドを含むウッド、加工性に富み、強度のある合成樹脂が原材料として円環体１−１，１−２の加工に用いることができる。これらの材料を用いれば、装飾性や強度のある円環体１−１，１−２の止め具兼装飾具１を製作することができる。また、止め具兼装飾具１の装飾性の点で、円環体１−１，１−２の表面に梨地に表面加工することや彫金、象嵌などを施すことにより装飾具して品質の向上を図ることができ、また、ダイアモンド、ルビー、サファイヤなどの小粒の宝石類を留め置くことで装飾具として更に装飾性を高めることができる。また、別の止め具兼装飾具１として、止め具１の装飾性を持たせるために、貴金属系被膜や窒化チタンなどの硬質で、美麗な被膜等を円環体体の表面に固着させることも本技術的範囲に含まれる。
【００２３】
本図で示される本発明に係るネックレス用止め具兼装飾具１の諸元を説明すると、円環体１−１，１−２の断面径は２〜３．５ｍｍφであって、リング内径は少なくとも１５ｍｍ以上で、大径の円環体１−１の外径で３５〜４０ｍｍφ、小径の円環体１−２の外径で２２〜２８ｍｍφが好ましい。切れ目３−１，４−１の寸法Ｌ１，Ｌ３は、０，５〜０，８ｍｍ、切れ込み部３，４の全長Ｌ２，Ｌ４は、２〜３．５ｍｍがよい。円環体１−１，１−２が直交して切れ込み部３，４が合わさった時の切れ込み面３−２と切れ込み面４−２との間隙は、若干隙間がある方が円環体１−１、１−２の嵌脱操作が円滑に行える。また、円環体１−１のネックレス１０を繋ぐ接続部５と切れ込み部３との成す内角αと、円環体１−２のネックレス１０を繋ぐ接続部６と切れ込み部４との成す内角βとの差は３０〜１００°がよく、具体的にはαが３０〜５０°、βが１００〜１３０°が好ましい。接続部５，６の寸法及び構造は定法による。
【００２４】
また、図５には、本発明に係るネックレス用止め具兼装飾具１を用いて繋いだネックレス１０の模式的斜視図であるが、ネックレス１０の両端は、夫々円環体１−１，１−２の接続部５，６に結ばれ、円環体１−１，１−２同士は、切れ込み部３，４を通して人為的に繋がれた後の状態を示しており、この状況では、切れ込み部３，４が合うことはなく、まして直交した状態には殆どならない。また、図１のようにネックレス１０の端部分が平行の状態で止め具兼装飾具１により繋がった状態の場合でも、切れ込み部３，４が合うことはなく、まして直交した状態にならない。このように、貴重品であるネックレス１０を装着した時に、止め具１の繋ぎが外れて不慮の事故が起きることが皆無であることを示唆している。
【００２５】
また、図６に示すように、本発明に係るネックレス用止め具兼装飾具を用いたネックレスの着用例を表し、（ａ）は１連のネックレスの着用例、（ｂ）は２連のネックレスの着用例、（ｃ）は一連のネックレスで大径円環体の中に小径円環体を挿通して着用した例、（ｄ）は、一連のネックレスで大径円環体の中に小径円環体を挿通して着用した別の例であって、図６（ａ）、（ｂ）の場合は、嵌めた場合には、円環体１−１，１−２同士は引っ掛けるようにぶら下がった掛着の状態になり、円環体１−１、１−２同士は固着されて繋がることなく、自由に動けるので、ネックレスを装着したときに、止め具による緊縛感が生じない。また、２個の円環体１−１，１−２の位置が、拘束されずに、ある範囲で自由に動けるので、配置の自在性と相まって、多様な装飾態様を発揮することができる。また、止め具兼装飾具１は、円環体１−１，１−２が従来のものに比し、大きいので、前首部、前胸部、に位置して装着されると、観者に対して強い美的印象を与えることができる。また、図６（ｃ）、（ｄ）の場合は、止め具兼装飾具１である円環体１−１，１−２を嵌めたり、外したりする以外の使い方であって、ネックレス１０の一端が繋がった大径の円環体１−１の中に、ネックレスの他端が繋がった小径の円環体１−２を通すことにより、長いネックレスの場合には、間接的に繋げた様に装着できる。この場合は、前述の場合と異なり、観者に別異の美的印象を与えることができる。
【産業上の利用可能性】
【００２６】
ネックレス、ブローチ、ペンダント等の服飾品のみならず、腕輪等にも用いられるように、紐体又は帯体の両端を繋ぐと共に、装飾品としても用いることができる止め具兼装飾具として利用できる。
【図面の簡単な説明】
【００２７】
【図１】本発明に係るネックレス用止め具兼装飾具の一実施形態を示す模式的平面図である。
【図２】本発明に係るネックレス用止め具兼装飾具を構成する円環体であって、（ａ）は大径円環体、（ｂ）は小径円環体の模式的平面図である。
【図３】図２の（ａ）はＡ−Ａ矢視の断面図、（ｂ）はＢ−Ｂ矢視の断面図、（ｃ）はＣ−Ｃ矢視の断面図、（ｄ）はＤ−Ｄ矢視の断面図である。
【図４】本発明に係るネックレス用止め具兼装飾具を嵌脱する際、２個の円環体の切れ込み部が直交した状態を示す模式図である。
【図５】本発明に係るネックレス用止め具兼装飾具を用いた首飾りの模式的全体図である。
【図６】本発明に係るネックレス用止め具兼装飾具を用いたネックレスの着用例であって、（ａ）は１連のネックレスの着用例、（ｂ）は２連のネックレスの着用例、（ｃ）は一連のネックレスで大径円環体の中に小径円環体を挿通して着用した例、（ｄ）は、一連のネックレスで大径円環体の中に小径円環体を挿通して着用した別の例である。
【符号の説明】
【００２８】
１：ネックレス用止め具兼装飾具          １−１：大径円環体  
１−２：小径円環体    ３，４：切れ込み部      ３−１、４−１：切れ目    ３−２、４−２：切れ込み面      ５、６：接続部      １０：ネックレス
α、β：接続部と切れ込み部との成す内角
【図１】
2010099288.tif 000003
【図２】
2010099288.tif 000004
【図３】
2010099288.tif 000005
【図４】
2010099288.tif 000006
【図５】
2010099288.tif 000007
【図６】
2010099288.tif 000008